(57)【要約】【課題】法面に衝突する弾丸などの球状体を容易に回収する。【解決手段】地盤上に形成された射撃場のバックストップ１においては、複数並設された小段部２０が法面５に設けられている。小段部２０の上面２５は、その左右端部の内の一方の端部から他方の端部に向かって低くなるように傾斜している。法面５には、小段部２０の上面２５から法面５の下端部まで延在した溝３０が、小段部２０の上面２５における他方の端部２２と連続して設けられている。この溝３０の幅寸法は、弾丸の直径寸法より大きくなっている。また、溝３０の下部には、複数の弾丸を内部に収納する収納ボックス３２が着脱可能に設けられている。【選択図】　図１
2004020169.tif 000002
【特許請求の範囲】
【請求項１】
飛来した複数の球状体が衝突する法面に小段部が設けられた法面構造において、
前記小段部の上面には、前記球状体が転動可能な勾配が付けられていることを特徴とする法面構造。
【請求項２】
請求項１記載の法面構造において、
前記小段部は複数並設されていることを特徴とする法面構造。
【請求項３】
請求項１又は２記載の法面構造において、
前記小段部の上面は、その左右端部のうちの一方の端部から他方の端部に向かって低くなるように傾斜していることを特徴とする法面構造。
【請求項４】
請求項３記載の法面構造において、
前記法面には、この法面の上端部側から下端部まで延在する溝が、前記小段部の上面における前記他方の端部と隣接して設けられており、
前記溝の幅寸法は前記球状体の直径寸法より大きいことを特徴とする法面構造。
【請求項５】
請求項４記載の法面構造において、
前記溝の下部には、前記複数の球状体を内部に収納する収納ボックスが着脱可能に設けられていることを特徴とする法面構造。
【請求項６】
請求項１〜５のうちの何れか一項に記載の法面構造において、
前記法面は、不織布によって覆われるとともに防水処理されていることを特徴とする法面構造。
【請求項７】
請求項１〜６のうちの何れか一項に記載の法面構造において、
前記法面は、射撃場の射台に対向し、かつこの射台とで標的を離間して挟むよう配置されていることを特徴とする法面構造。
【発明の詳細な説明】
【０００１】
【発明の属する技術分野】
本発明は、法面に小段部が設けられた法面構造に関する。
【０００２】
【従来の技術】
射撃場においては、弾丸が発射される射台から見て標的の後方に配置され、発射された弾丸の飛散を防ぐバックストップとして、法面が利用されている。従来、この法面には、法面の点検及び管理を容易化するとともに、法面上を流れる雨水によって法尻が削られるのを、雨水の流速を低下させることで抑えるために、略水平な上面を有する小段部が左右方向に延在して設けられている。
【０００３】
【発明が解決しようとする課題】
ところで、射撃場において発射される弾丸は、リサイクル可能であるため、容易に回収されることが望ましい。
しかしながら、このような小段部が設けられたバックストップを有する射撃場においては、小段部の上面が略水平であるため、法面における小段部より上側の部位に衝突した複数の弾丸が法面を転がり、小段部の上面に散乱した状態で止まっていた。そのため、小段部の上面に止まったこれらの弾丸を回収するのに手間がかかっていた。
本発明の課題は、法面に衝突する弾丸などの球状体を容易に回収することができる法面構造を提供することである。
【０００４】
【課題を解決するための手段】
上記課題を解決するために、請求項１記載の発明は、例えば図１に示すように、飛来した複数の球状体（例えば、弾丸）が衝突する法面５に小段部２０が設けられた法面構造において、
前記小段部２０の上面２５には、前記球状体が転動可能な勾配が付けられていることを特徴とする。
【０００５】
ここで、小段部とは、左右に延在する上面によって法面の点検及び管理を容易化するとともに、法面上を流れる雨水によって法尻が削られるのを、雨水の流速を低下させることで抑えるものである。なお、小段部の上面は平面に限らず、曲面を構成するものであっても良い。
【０００６】
請求項１記載の発明によれば、小段部の上面には球状体が転動可能な勾配が付けられているので、法面における小段部より山側の部位に衝突した複数の球状体は、法面の傾斜により法面から小段部の上面まで転がり、小段部の上面の傾斜によって小段部の上面の下端部側に集められる。また、法面における小段部より谷側の部位に衝突した複数の球状体は、法面の傾斜によって転がり、法面の下端部に集められる。従って、法面に衝突した複数の球状体を容易に回収することができる。
また、小段部の上面によって、法面の点検及び管理を容易化するとともに、法面上を流れる雨水によって法尻が削られるのを、雨水の流速を低下させることで抑えることができる。
【０００７】
請求項２記載の発明は、例えば図１に示すように、請求項１記載の法面構造において、
前記小段部２０は複数並設されていることを特徴とする。
【０００８】
請求項２記載の発明によれば、複数並設された小段部の上面によって、法面の点検及び管理を更に容易化するとともに、法面上を流れる雨水によって法尻が削られるのを、雨水の流速をいっそう低下させることでより確実に抑えることができる。
【０００９】
ここで、球状体は、小段部の上面を転がるものである限りにおいて、球体に限らず、楕円球状のものや、ゴルフボールのように表面に複数の窪みを有するものであってもよい。
【００１０】
請求項３記載の発明は、例えば図１に示すように、請求項１又は２記載の法面構造において、
前記小段部２０の上面２５は、その左右端部のうちの一方の端部（例えば、上側の端部２１）から他方の端部（例えば、下側の端部２２）に向かって低くなるように傾斜していることを特徴とする。
【００１１】
請求項３記載の発明によれば、法面に設けられた小段部の上面はその左右端部の内の一方の端部から他方の端部に向かって低くなるように傾斜しているので、法面における小段部より山側の部位に衝突した複数の球状体は法面の傾斜により法面から小段部の上面まで転がり、次に小段部の上面の傾斜により小段部の上面における前記他方の端部に集められ、かつ、法面における小段部より谷側の部位に衝突した複数の球状体は、法面の傾斜によって転がり、法面の下端部に集められる。従って、法面に衝突した複数の球状体を容易に回収することができる。
【００１２】
請求項４記載の発明は、例えば図１に示すように、請求項３記載の法面構造において、
前記法面５には、この法面５の上端部側から下端部まで延在する溝３０が、前記小段部２０の上面２５における前記他方の端部２２と隣接して設けられており、
前記溝３０の幅寸法は前記球状体の直径寸法より大きいことを特徴とする。
【００１３】
請求項４記載の発明によれば、法面の上端部側から下端部まで延在する溝が小段部の上面における前記他方の端部と隣接して設けられているので、法面における小段部より山側の部位に衝突した複数の球状体は、法面の傾斜により法面から小段部の上面まで転がり、次に小段部の上面の傾斜によりこの小段部の上面から溝の内部に転がり、次にこの溝の内部において山側から谷側に転がることで溝の下端部に集まる。また、法面における小段部より谷側の部位に衝突した複数の球状体は、法面の傾斜によって転がり、法面の下端部に集まる。以上のように法面に衝突した複数の球状体が小段部の上面に止まらずに溝の下端部及び法面の下端部に集められるため、球状体の回収を容易に行うことができる。
【００１４】
請求項５記載の発明は、例えば図１に示すように、請求項４記載の法面構造において、
前記溝３０の下端部３１には、前記複数の球状体を内部に収納する収納ボックス３２が着脱可能に設けられていることを特徴とする。
【００１５】
請求項５記載の発明によれば、溝の下端部には複数の球状体を内部に収納する収納ボックスが着脱可能に設けられているので、法面における小段部より山側の部位に衝突した複数の球状体は、着脱可能に設けられた収納ボックスの内部に収集される。従って、内部に球状体を収集した収納ボックスを溝の下端部から取り外し、複数の球状体をまとめて回収することにより、いっそう容易に球状体の回収を行うことができる。
【００１６】
請求項６記載の発明は、例えば図１に示すように、請求項１〜５のうちの何れか一項に記載の法面構造において、
前記法面１０は、不織布５０によって覆われるとともに防水処理されていることを特徴とする。
【００１７】
請求項６記載の発明によれば、法面に衝突した球状体が法面に定着することを、球状体が法面に衝突する際の衝撃を不織布によって吸収することにより防ぐことができる。また、法面には防水処理が施されているので、放置された弾丸から雨水に溶出した成分が法面から地下水に流れ出るのを防ぐことができる。更に、不織布によって法面を覆うことにより、法面の滑落を防ぐことができる。
ここで、不織布５０は、法面に衝突した球状体が法面上を円滑に転がるよう、摩擦係数の小さいものであることが好ましい。
【００１８】
請求項７記載の発明は、例えば図１に示すように、請求項１〜６のうちの何れか一項に記載の法面構造において、
前記法面５は、射撃場の射台に対向し、かつこの射台とで標的を離間して挟むように配置されていることを特徴とする。
【００１９】
請求項７記載の発明によれば、射撃場において発射され法面に衝突した球状の複数の弾丸を容易に回収することができる。また、法面に衝突した複数の弾丸を回収することにより、弾丸が放置され、雨水にさらされるのを防ぐことができるため、放置された弾丸の成分が雨水に溶出し地下水に流れ出ることで周囲の環境を汚染するのを防ぐことができる。
【００２０】
【発明の実施の形態】
以下、図１及び図２を参照して本発明にかかる法面構造について詳細に説明する。なお、本実施の形態においては、法面構造を、射撃場において射台に対向するとともにこの射台とで標的を離間して挟むように配置され、飛来した球状の複数の弾丸が衝突するバックストップ１の構造として説明する。
【００２１】
図１に示すように、バックストップ１は、地盤を切土するか、或いは地盤に盛土するか等して地盤上に土砂等で形成されたものであり、左右に延在した複数の小段部２０，…と、山側から谷側に向かって延在した複数の溝３０，…と、これら小段部２０，…及び溝３０，…によって仕切られた複数の斜面１０，…とが設けられた法面５を射台側に有している。
【００２２】
法面５の全面には、不織布５０が設けられている。不織布５０は、摩擦係数が小さいとともに厚さが約１ｃｍの柔軟なシート状のものであり、弾丸が法面５に衝突する際の衝撃を吸収するクッション材としての役割を果たしている。この不織布５０は、法面５の凹凸に追従し、法面５との間に空隙を生じないように貼り付けられている。また、不織布５０はその１部のみを切り取り張替えることが可能であり、弾丸の衝突等により一部で強度が低下した不織布５０を容易に補修することができる。このような不織布５０は、例えば、グラスウール、ロックウール、炭素繊維等の無機質繊維、鉄、アルミニウム、銅、ステンレス等の金属繊維、羊毛、絹等の動物繊維、綿、麻、パルプ等の植物性天然繊維、レーヨン、アセテート、キュプラ等の植物性天然繊維から得られる繊維、ナイロン等のポリアミド系繊維、ビニロン等のポリビニル系繊維、アクリル系繊維、ポリエチレンテレフタラート等のポリエステル系繊維、ポリウレタン系繊維、塩化ビニル系繊維、塩化ビニリデン系繊維、ポリエチレンやポリプロピレン等のポリオレフィン系繊維、ポリカーボネート系繊維、ポリテトラフルオロエチレン系繊維、ポリ尿素系繊維などの合成繊維等の各種繊維の何れかを用いて形成されることができる。
また、不織布５０の表面又は裏面には遮水性を有する遮水性シートが設けられ、これによって法面５の全面は防水処理された状態となっている。このような遮水性シートは、例えば、ブチルゴムやポリクロロプレンゴム等の加硫ゴム、ポリイソブチレン等の非加硫ゴム、塩化ビニル、ポリエチレン等の何れかを用いて形成されることができる。なお、法面５を弾丸が円滑に転がるように、遮水性シートの摩擦係数は小さいことが好ましい。
【００２３】
溝３０は、法面５の上端から下端まで延在して法面５に複数並設されている。この溝３０の幅寸法は、弾丸の直径寸法より大きくなっている。また、溝３０の下端部３１は上方に開口した箱状をなしており、その内部には複数の弾丸を内部に収納するための上方に開口した筒状の収納ボックス３２が着脱可能に設けられている。なお、この収納ボックス３２は、内部に雨水が溜まらないよう、網状の材料を用いて形成されるのが好ましい。
【００２４】
斜面１０は、互いに隣り合う溝３０，３０の間において、谷側から山側に向かって互いに離間して複数設けられており、谷側の斜面１０と山側の斜面１０の下縁との間には、複数の小段部２０，…が列状に設けられている。なお、本実施の形態においては、斜面１０の上下幅の長さはそれぞれ約５ｍ〜１０ｍとなっている。またなお、最も下側に位置する斜面１０（以下、他の法面と便宜的に区別し、斜面１０Ａとする）の下部には雨水を排水するための側溝４０が設けられている。この側溝４０の端部は、溝３０の下端部３１と連続している。また、側溝４０の上部には弾丸が側溝４０に入らないようコンクリート製の板状の複数の蓋４１，…が設けられている。
【００２５】
複数の小段部２０，…のそれぞれは、隣接する谷側の斜面１０及び山側の斜面１０と連続した上面２５を有しており、各上面２５は、その左右端部の内の一方の端部（以下、上側の端部とする）２１から他方の端部（以下、下側の端部とする）２２に向かって低くなるように傾斜している。これら複数の小段部２０，…は、上側の端部２１において他の小段部２０と連続し、下側の端部２２において溝３０に隣接するとともにこの溝３０を介して更に他の小段部２０と隣接しており、左右に連なった列をなしている。このように複数の小段部２０，…によって形成された列は、谷側から山側に向かって法面５に複数並設されている。以上のような複数の小段部２０，…は、それぞれの上面２５によって、面５の点検及び管理を容易化するとともに、法面５上を流れる雨水によって法尻が削られるのを、雨水の流速を低下させることで抑えることができる。なお、小段部２０の上面２５には、雨水を排水するための排水溝（図示せず）が左右に延在して設けられている。
【００２６】
このような小段部２０の上面２５の傾斜の割合は、小段部２０の上面２５を弾丸が転動可能なように不織布５０及び遮水性シートの表面形状に応じて設定されることが好ましい。例えば、不織布５０及び遮水性シートとして「ガードテクターＰＳ」（商品名、株式会社ジオテックス製）を用いた場合には、小段部２０の上面２５の傾斜の割合は約５％以上に設定されることが好ましい。なお、「ガードテクターＰＳ」は、遮水性シートとして表面にポリエチレンシートが貼られたポリエチレンテレフタラートの短繊維不織布である。また、不織布５０及び遮水性シートとして「ニードフル遮水シートマット」（商品名、株式会社田中製）を用いた場合には、小段部２０の上面２５の傾斜の割合は約５９％以上に設定されることが好ましい。なお、「ニードフル遮水シートマット」は、遮水製シートとして裏面に塩化ビニルシートが貼られた主に合成繊維（反毛フェルト）からなる短繊維不織布である。また、不織布５０として「ニードフルマットＮＮ−１０」（商品名、株式会社田中製）又は「ニードフルマットＡＰＳ」（商品名、株式会社田中製）を用い、この不織布５０の裏面に遮水性シートを設けた場合には、小段部２０の上面２５の傾斜の割合は約５９％以上に設定されることが好ましい。なお、「ニードフルマットＮＮ−１０」は合成繊維からなる短繊維不織布であり、「ニードフルマットＡＰＳ」は合成繊維（反毛フェルト）からなる不織布である。
【００２７】
以上のようなバックストップ１によれば、複数の小段部２０の上面２５，…は上側の端部２１から下側の端部２２に向かって低くなるように傾斜しており、法面５には、小段部２０の上面２５における下側の端部２２と連続した溝３０が法面５の上端部から下端部まで延在して設けられ、溝３０の下端部には、複数の弾丸を内部に収納する収納ボックス３２が着脱可能に設けられている。従って、図１中矢印で示されるように、小段部２０より山側の斜面１０に衝突した複数の弾丸は、斜面１０の傾斜によりこの斜面１０から小段部２０の上面２５まで転がり、次に小段部２０の上面２５の傾斜によりこの上面２５を上側の端部２１の側から下側の端部２２と連続した溝３０の内部に転がり、次にこの溝３０の内部において山側から谷側に転がることで、着脱可能に設けられた収納ボックス３２に集められる。よって、内部に複数の弾丸を収納した収納ボックス３２を溝３０から取り外すことにより、小段部２０より山側の斜面１０に衝突した複数の弾丸をまとめて回収することができる。
また、斜面１０Ａに衝突した複数の弾丸は、斜面１０Ａの傾斜によって転がり、斜面１０Ａの下端部に集まる。従って、斜面１０Ａに衝突した複数の弾丸を容易に回収することができる。
以上のように法面５に衝突した複数の弾丸を容易に回収することができるため、発射された弾丸が放置され、その成分が雨水に溶出して地下水に流れ出ることで周囲の環境を汚染するのを防ぐことができる。また、弾丸を短い周期でリサイクルすることができる。
【００２８】
また、雨水は小段部２０の上面２５において、小段部２０の上側の端部２１側から下側の端部２２まで流れる結果、小段部２０の上面２５に溜まらないため、法面５の点検及び管理を容易に行うことができる。
また、２つ以上の列をなした複数の小段部２０の上面２５，…によって、法面５上を流れる雨水によって法尻が削られるのを、雨水の流速をより確実に低下させることで抑えることができる。
【００２９】
また、不織布５０によって法面５を覆っているので、法面５の滑落を防ぐことができる。また、法面５に衝突した弾丸が法面５に定着することを、弾丸が法面５に衝突する際の衝撃を不織布５０によって吸収することにより防ぐことができる。更に、不織布５０の表面又は裏面には遮水性シートが貼られているので、放置された弾丸から雨水に溶出した成分が法面５から地下水に流れ出るのを防ぐことができる。
また、溝３０は、法面５の上端から下端まで延在して複数並設されているので、小段部２０より上側の斜面１０に衝突した弾丸を、複数の溝３０の下端部にそれぞれ設けられた収納ボックス３２に分散させて回収することができる。
【００３０】
なお、本実施の形態においては、法面構造を射撃場におけるバックストップ１の構造として説明したが、小段部２０が設けられた法面５を有するものである限りにおいて堤防などとしてもよい。また、法面構造をバックストップ１の構造とし、バックストップ１の法面５に弾丸が衝突するものとして説明したが、法面５に衝突する球状体が小段部２０の上面２５を転がることにより容易に回収される限りにおいて、法面構造をゴルフの打ち放し練習場においてゴルフボールが衝突する土手の構造としても良い。
【００３１】
また、法面５の表面は、遮水性シートが表面又は裏面に設けられた不織布５０によって覆われることとして説明したが、法面５に弾丸が衝突する際の衝撃が吸収される限りにおいて、法面５の表面に不織布５０を設けずに、遮水性シートのみを設けることしても良い。この場合、遮水性シートとしては、例えば、ポリエステル繊維からなるシートを合成ゴムシートで挟んで構成される「ミズシートＳ］（商品名、三ツ星ベルト株式会社製）や、合成ゴムシートからなる「ミズシートＦＰＡ」（商品名、三ツ星ベルト株式会社製）等を用いることができる。なお、このように法面５の表面に不織布５０を設けずに「ミズシートＳ］のみを設ける場合には、小段部２０の上面２５の傾斜の割合は約１５％以上に設定されることが好ましい。またなお、法面５の表面に不織布５０を設けずに「ミズシートＦＰＡ」のみを設ける場合には、小段部２０の上面２５の傾斜の割合は約５％以上に設定されることが好ましい。
【００３２】
また、法面５を土砂等により形成されるものとして説明したが、これに限らず、コンクリートやアスファルトにより形成されるものとしても良い。
また、小段部２０を谷側の斜面１０の上縁と山側の斜面１０の下縁との間において列状に複数設けられるものとして説明したが、法面５の左右端部間に延在して谷側及び山側の斜面１０，１０の間に設けられるものとしても良い。
更に、側溝４０の上部には弾丸が側溝４０に入らないように複数の板状の蓋４１，…が設けられていることとして説明したが、弾丸が通過可能な網状の蓋を設けても良いし、蓋４１を設けないこととしても良い。更にこれらの場合には、斜面１０Ａ上を転がって法面５の下端部に達した複数の弾丸を側溝４０の内部に落とし、側溝４０の底面の勾配を用いて収納ボックス３２に集めることとしても良い。
【００３３】
【発明の効果】
請求項１記載の発明によれば、法面における小段部より山側の部位に衝突した複数の球状体は、法面の傾斜により法面から小段部の上面まで転がり、小段部の上面の傾斜により小段部の上面の下端部側に集められる。また、法面における小段部より谷側の部位に衝突した複数の球状体は、法面の傾斜によって転がり、法面の下端部に集められる。従って、法面に衝突した複数の球状体を容易に回収することができる。
【００３４】
請求項２記載の発明によれば、請求項１記載の発明と同様の効果が得られるのは勿論のこと、複数並設された小段部の上面によって、法面の点検及び管理を更に容易化するとともに、法面上を流れる雨水によって法尻が削られるのを、雨水の流速をいっそう低下させることでより確実に抑えることができる。
【００３５】
請求項３記載の発明によれば、請求項１又は２記載の発明と同様の効果が得られるのは勿論のこと、法面における小段部より山側の部位に衝突した複数の球状体は法面の傾斜により法面から小段部の上面まで転がり、次に小段部の上面の傾斜により小段部の上面における前記他方の端部に集められ、かつ、法面における小段部より谷側の部位に衝突した複数の球状体は、法面の傾斜によって転がり、法面の下端部に集められる。従って、法面に衝突した複数の球状体を容易に回収することができる。
【００３６】
請求項４記載の発明によれば、請求項３記載の発明と同様の効果が得られるのは勿論のこと、法面に衝突した球状体が小段部の上面に止まらずに溝の下端部及び法面の下端部に集められるため、球状体の回収を容易に行うことができる。
【００３７】
請求項５記載の発明によれば、請求項４記載の発明と同様の効果が得られるのは勿論のこと、内部に球状体を収集した収納ボックスを溝の下端部から取り外し、複数の球状体をまとめて回収することにより、いっそう容易に球状体の回収を行うことができる。
【００３８】
請求項６記載の発明によれば、請求項１〜５のうちの何れか一項に記載の発明と同様の効果が得られるのは勿論のこと、法面に衝突した球状体が法面に定着することを、球状体が法面に衝突する際の衝撃を不織布で吸収することにより防ぐことができる。また、法面には防水処理が施されているので、放置された弾丸から雨水に溶出した成分が法面から地下水に流れ出るのを防ぐことができる。更に、不織布によって法面を覆うことにより、法面の滑落を防ぐことができる。
【００３９】
請求項７記載の発明によれば、請求項１〜６のうちの何れか一項に記載の発明と同様の効果が得られるのは勿論のこと、法面に衝突した複数の弾丸を回収することにより、弾丸が放置され、雨水にさらされるのを防ぐことができるため、放置された弾丸の成分が雨水に溶出し地下水に流れ出ることで周囲の環境を汚染するのを防ぐことができる。
【図面の簡単な説明】
【図１】本発明に係るバックストップを示す斜視図である。
【符号の説明】
５　法面
２０　小段部
２１　小段部の上面の上側の端部（小段部の上面の一方の端部）
２２　小段部の上面の下側の端部（小段部の上面の他方の端部）
２５　小段部の上面
３０　溝
３１　溝の下端部
３２　収納ボックス
５０　不織布
【図１】
2004020169.tif 000003